(57)【要約】パーソナルウェルネス装置を用いてパーソナルウェルネスの管理を促進するよう構成されたパーソナルウェルネスシステムに関する。パーソナルウェルネス装置は、その装置を利用することで個人のエクササイズ（Ｐｅｒｓｏｎａｌ  Ｅｘｅｒｃｉｓｅ、パーソナルエクササイズ）及び個人のウェルネスの管理を促進するよう構成された、携帯型のハンドヘルド装置であってもよい。パーソナルウェルネス装置を用いて行われたエクササイズは、パーソナルウェルネス装置に作用する力、位置、パーソナルウェルネス装置の動き、及び／又は個人のエクササイズを追跡する他の要素に基づいて追跡されてもよい。追跡されたエクササイズは、心肺の持久力、呼吸の持久力、スタミナ、強さ、柔軟性、力、スピード、運動神経、アジリティ、及び／又はバランスに関連付けられた情報、消費カロリー又は消費エネルギー、予め定められたエクササイズルーチンの達成レベル、特定のエクササイズ及び／又はエクササイズ一般の頻度、定量化されたエクササイズでの改善度、及び／又は他のエクササイズのパラメータといったエクササイズのパラメータを決定する基本となってもよい。パーソナルウェルネスシステムは、自動及び／又はライブのコーチング、計画設計、エクササイズスケジューリング、ダイエットプログラムの計画、リハビリ、及び／又はスケジューリング、及び／又はパーソナルウェルネスの管理に関連付けられた他の機能を促進してもよい。
2015531099.tif 000002
【特許請求の範囲】
【請求項１】
個人のエクササイズの間に圧縮力を受けるよう構成された少なくとも一つのハウジング本体と、
前記少なくとも一つのハウジング本体に収容され、前記少なくとも一つのハウジング本体に作用する圧縮力に関連する情報を伝達する力出力信号を生成するよう構成された力覚センサと、
前記少なくとも一つのハウジング本体に収容され、ユーザから情報を受信し、前記ユーザに情報を提供するユーザインタフェイスと、
前記少なくとも一つのハウジング本体に収容され、一又は複数のコンピュータプログラムモジュールを実行する一又は複数のプロセッサと、
を備え、
前記一又は複数のコンピュータプログラムモジュールは、
前記力覚センサで生成された力出力信号に基づき、パーソナルウェルネス装置を用いて行われたエクササイズを追跡するエクササイズ追跡モジュールと、
該追跡されたエクササイズに基づいて、一又は複数のエクササイズのパラメータを決定するよう構成されたエクササイズ分析モジュールと、
を備える、
パーソナルウェルネスの管理を促進するよう構成されたパーソナルウェルネス装置      。
【請求項２】
前記一又は複数のエクササイズのパラメータは、心肺の持久力、呼吸の持久力、スタミナ、強さ、柔軟性、力、スピード、運動神経、アジリティ、及び／又はバランスに関連付けられた情報、消費カロリー又は消費エネルギー、予め定められたエクササイズルーチンの達成レベル、特定のエクササイズ及び／又はエクササイズ一般の頻度、又は定量化されたエクササイズの改善度を一つ以上含むことを特徴とする請求項１記載のパーソナルウェルネス装置。
【請求項３】
前記一又は複数のエクササイズのパラメータの各々が、前記パーソナルウェルネス装置に関連付けられていない一又は複数の他のユーザの追跡されたエクササイズとの比較に基づくことを特徴とする請求項１記載のパーソナルウェルネス装置。
【請求項４】
前記一又は複数のコンピュータプログラムモジュールが、身長、体重、年齢、又はジェンダーの一つ以上と関連する身体的属性情報を、前記ユーザインタフェイスを介して受信するよう構成された身体的属性モジュールをさらに備えることを特徴とする請求項１記載のパーソナルウェルネス装置。
【請求項５】
前記一又は複数のコンピュータプログラムモジュールが、前記パーソナルウェルネス装置を用いて行われる一又は複数のエクササイズへの補助を提供するよう構成されたインストラクションモジュールをさらに備えることを特徴とする請求項１記載のパーソナルウェルネス装置。
【請求項６】
前記インストラクションモジュールによって提供される前記補助は、人間のコーチ、又は自動応答のいずれか又はその両方とのライブでのインタラクションに基づくことを特徴とする請求項５記載のパーソナルウェルネス装置。
【請求項７】
前記一又は複数のコンピュータプログラムモジュールが、エクササイズの計画を設計することを促進するよう構成された計画設計モジュールをさらに備えることを特徴とする請求項１記載のパーソナルウェルネス装置。
【請求項８】
前記一又は複数のコンピュータプログラムモジュールが、ユーザに関連付けられた一又は複数の予定されたエクササイズを監視し、及び／又は前記一又は複数の予定されたエクササイズに関連付けられたアラートを提供するよう構成されたエクササイズスケジューリングモジュールをさらに備えることを特徴とする請求項１記載のパーソナルウェルネス装置。
【請求項９】
前記一又は複数のコンピュータプログラムモジュールが、ユーザのダイエットを分析し、ダイエットプログラムを計画するよう構成された栄養モジュールをさらに備えることを特徴とする請求項１記載のパーソナルウェルネス装置。
【請求項１０】
前記少なくとも一つのハウジング本体に収容された筋電気刺激インタフェイスをさらに備え、前記筋電気刺激インタフェイスは、前記パーソナルウェルネス装置を電極に着脱可能に接続するよう構成され、前記電極は、筋電気刺激をユーザに提供するよう構成され、前記一又は複数のコンピュータプログラムモジュールは、筋電気刺激による処置を、前記筋電気刺激インタフェイスを介して前記ユーザに提供するよう構成されたリハビリモジュールをさらに備える、請求項１記載のパーソナルウェルネス装置。
【請求項１１】
前記少なくとも一つのハウジング本体は、第１のハウジング本体と第２のハウジング本体を含む二つのハウジング本体を備え、前記第１のハウジング本体と前記第２のハウジング本体は、前記二つのハウジング本体が開姿勢と閉姿勢との間で再構成可能となるように接続機構によって可動に接続されており、前記二つのハウジング本体は、前記閉姿勢において個人のエクササイズの間に圧縮力を受けるよう構成されており、前記ユーザインタフェイスは、前記二つのハウジング本体が開姿勢の場合にアクセス可能であることを特徴とする請求項１記載のパーソナルウェルネス装置。
【請求項１２】
コンピュータプログラムモジュールを実行するよう構成された一又は複数のプロセッサを備え、前記一又は複数のコンピュータプログラムモジュールは、
パーソナルウェルネスプラットフォームとパーソナルウェルネス装置各々との間の情報の伝送を促進する装置プラットフォーム通信モジュールと、
前記パーソナルウェルネスプラットフォームと前記パーソナルウェルネス装置の各々との間で伝送される情報に基づいて、前記パーソナルウェルネス装置の各々を用いて行われるエクササイズを追跡するよう構成されたエクササイズ追跡モジュールと、
前記追跡されたエクササイズに基づいて、一又は複数のエクササイズのパラメータを決定するよう構成されたエクササイズ分析モジュールと、を備え、
前記パーソナルウェルネス装置各々は、前記パーソナルウェルネス装置に作用する圧縮力に関連する情報を伝達する力出力信号を生成するよう構成された力覚センサと、ユーザから情報を受信し、前記ユーザに情報を提供するよう構成されたユーザインタフェイスと、を備える、前記パーソナルウェルネス装置を介してパーソナルウェルネスの管理を促進するよう構成されたパーソナルウェルネスプラットフォーム。
【請求項１３】
前記一又は複数のコンピュータプログラムモジュールは、身長、体重、年齢、ＤＮＡ、又はジェンダーの一つ以上と関連しており、前記パーソナルウェルネス装置のユーザの各々と関連付けられた身体的属性情報を、前記ユーザインタフェイスを介して受信するよう構成された身体的属性モジュールをさらに備えることを特徴とする請求項１２記載のパーソナルウェルネスプラットフォーム。
【請求項１４】
前記一又は複数のコンピュータプログラムモジュールは、前記パーソナルウェルネス装置の各々を用いて行われる一又は複数のエクササイズへの補助を提供するよう構成されたインストラクションモジュールをさらに備えることを特徴とする請求項１２記載のパーソナルウェルネスプラットフォーム。
【請求項１５】
前記インストラクションモジュールによって提供される前記補助は、人間のコーチ、又は自動応答のいずれか又はその両方とのライブでのインタラクションに基づくことを特徴とする請求項１４記載のパーソナルウェルネスプラットフォーム。
【請求項１６】
前記一又は複数のコンピュータプログラムモジュールは、エクササイズの計画を設計することを促進するよう構成された計画設計モジュールをさらに備えることを特徴とする請求項１２記載のパーソナルウェルネスプラットフォーム。
【請求項１７】
前記一又は複数のコンピュータプログラムモジュールは、ユーザに関連付けられた一又は複数の予定されたエクササイズを監視し、及び／又は前記一又は複数の予定されたエクササイズに関連付けられたアラートを提供するよう構成されたエクササイズスケジューリングモジュールをさらに備えることを特徴とする請求項１２記載のパーソナルウェルネスプラットフォーム。
【請求項１８】
前記一又は複数のコンピュータプログラムモジュールは、ユーザのダイエットを分析し、ダイエットプログラムを設計するよう構成された栄養モジュールをさらに備えることを特徴とする請求項１２記載のパーソナルウェルネスプラットフォーム。
【請求項１９】
前記装置プラットフォーム通信モジュールは、前記パーソナルウェルネスプラットフォームから前記パーソナルウェルネス装置各々に対し、
前記追跡されたエクササイズに基づいた一又は複数のエクササイズのパラメータ、
前記パーソナルウェルネス装置の各々を用いて行われる一又は複数のエクササイズへの補助、
エクササイズの計画、
予定されたエクササイズに関連付けられたアラート、又は
ダイエットプログラム
の一つ以上送信することを特徴とする請求項１２記載のパーソナルウェルネスプラットフォーム。
【請求項２０】
前記パーソナルウェルネス装置の各々は、それぞれ第１のハウジング本体と第２のハウジング本体を含む二つのハウジング本体を備え、前記第１のハウジング本体と前記第２のハウジング本体は、前記二つのハウジング本体が開姿勢と閉姿勢との間で再構成可能となるように接続機構によって可動に接続されており、前記二つのハウジング本体は、前記閉姿勢において個人のエクササイズの間に圧縮力を受けるよう構成されており、前記二つのハウジング本体のうち一つ、又はその両方が、前記力覚センサ、前記ユーザインタフェイス、又は一又は複数のコンピュータプログラムモジュールを実行するよう構成された一又は複数のプロセッサを一つ以上収容するよう構成されたことを特徴とする請求項１２記載のパーソナルウェルネスプラットフォーム。
【発明の詳細な説明】
【技術分野】
【０００１】
関連出願の相互参照
本出願は、２０１２年６月１９日に出願された米国特許出願第１３／５２７，４０１号の優先権を主張し、この米国特許出願の全内容が引用により本明細書に組み入れられる。
【０００２】
本発明は、パーソナルウェルネス装置を介して、個人のウェルネスの管理（Ｐｅｒｓｏｎａｌ  Ｗｅｌｌｎｅｓｓ  Ｍａｎａｇｅｍｅｎｔ、パーソナルウェルネスの管理）を促進し、個人のウェルネス（Ｐｅｒｓｏｎａｌ  Ｗｅｌｌｎｅｓｓ、パーソナルウェルネス）及び／又はエクササイズの一態様を決定及び／又は評価することで個人のウェルネスを促進することに関する。
【背景技術】
【０００３】
個人がエクササイズしている間に用いられる装置は、典型的には設置型又は携帯型であると考えられている。設置型の装置では、繰り返しの回数、消費するカロリー、などのエクササイズのルーチンの様々な態様が定量化される。一般に、携帯型の装置は、より大きい設置型装置と比べて、かなり低い機能しか有しない。典型的には、設置型及び携帯型のエクササイズ装置いずれもパーソナルウェルネスの管理の機能を有していない。
【発明の概要】
【０００４】
本発明の一態様は、一以上の実施形態に従って、パーソナルウェルネス装置を介して、パーソナルウェルネスの管理を促進するように構成されるパーソナルウェルネスシステムに関する。パーソナルウェルネスシステムは、一又は複数のパーソナルウェルネス装置を含む。各々のパーソナルウェルネス装置は、その装置を利用することでパーソナルエクササイズ（Ｐｅｒｓｏｎａｌ  Ｅｘｅｒｃｉｓｅ、個人のエクササイズ）及びパーソナルウェルネスの管理を促進するよう構成された、携帯型のハンドヘルド装置であってもよい。一部の実施形態において、少なくとも一つのパーソナルウェルネス装置とパーソナルウェルネスシステムの他の構成装置との間で情報が伝送されてもよい。パーソナルウェルネス装置を用いて行われるエクササイズは追跡されてもよく、パーソナルエクササイズが監視される、及び／又は記録されることが含まれうる。エクササイズは、パーソナルウェルネス装置に作用する力、パーソナルウェルネス装置の位置、パーソナルウェルネス装置の動き、及び／又はパーソナルエクササイズを追跡する他の要素に基づいて追跡されてもよい。エクササイズのパラメータは、追跡されたエクササイズに基づいて決定される。このようなエクササイズのパラメータは、心肺の持久力、呼吸の持久力、スタミナ、強さ、柔軟性、力、スピード、運動神経、アジリティ、及び／又はバランスに関連付けられた情報、消費カロリー又は消費エネルギー、予め定められたエクササイズルーチンの達成レベル、特定のエクササイズ及び／又はエクササイズ一般の頻度、定量化されたエクササイズでの改善度、及び／又は他のエクササイズのパラメータを一つ以上含む。一部の実施形態において、前記パーソナルウェルネスシステムは、自動及び／又はライブのコーチング、計画設計、エクササイズスケジューリング、ダイエットプログラムの計画、リハビリウェルネスプログラム、前述のうち二つ以上を統合したウェルネスプログラムの計画及び／又はスケジューリング、及び／又はパーソナルウェルネスの管理に関連付けられた他の機能を促進してもよい。
【０００５】
前記パーソナルウェルネス装置に加え、パーソナルウェルネスシステムは、ユーザアクセサリ、外部のリソース、パーソナルコンピューティングプラットフォーム、パーソナルウェルネスプラットフォームサーバ、及び／又は前記パーソナルウェルネス装置が有する一又は複数の機能を補完及び／又は含む他の構成装置を一以上含んでもよい。前記パーソナルウェルネス装置、前記パーソナルコンピューティングプラットフォーム、前記パーソナルウェルネスプラットフォームサーバ、前記ユーザアクセサリ、及び／又は外部リソースといった前記パーソナルウェルネスシステムの構成装置は電子的な通信リンクを介して操作可能に接続されていてもよい。
【０００６】
所定のパーソナルウェルネス装置は、力覚センサ、地理的位置センサ、モーションセンサ、心拍数センサ、血糖値センサ、バイオメトリクスセンサ、歩数計、筋電気刺激（ＥＭＳ）インタフェイス、カメラ装置、アクチュエータ、ユーザインタフェイス、通信装置、電源、電気的なストレージ、プロセッサ、及び／又は他の構成装置を一以上含んでもよい。一又は複数のハウジング本体により、前記パーソナルウェルネス装置の一又は複数の構成装置が収容されていてもよい。二つのハウジング本体を有する実施形態において、第１のハウジング本体と第２のハウジング本体は、前記二つのハウジング本体が開姿勢と閉姿勢との間で再構成できるような接続機構によって、可動に一緒に接続されていてもよい。前記二つのハウジング本体は、閉姿勢において、個人のエクササイズの間に圧縮力を受けるように構成されてもよい。
【０００７】
前記力覚センサは、前記パーソナルウェルネス装置上に作用する圧縮力に関連する情報を伝達する力出力信号を生成するように構成されてもよい。前記地理的位置センサは、前記パーソナルウェルネス装置の地理的位置に関連する情報を伝達する位置出力信号を生成するように構成されてもよい。前記モーションセンサは、前記パーソナルウェルネス装置の動き及び／又は方向に関連する情報を伝達するモーション出力信号を生成するように構成されてもよい。前記心拍数センサは、前記パーソナルウェルネス装置に関連付けられたユーザの心拍数に関連する情報を伝達する心拍数出力信号を生成するように構成されてもよい。前記血糖センサは、前記パーソナルウェルネス装置に関連付けられたユーザの血中の糖分の濃度に関連する情報を伝達する糖分出力信号を生成するように構成されてもよい。前記バイオメトリクスセンサは、ユーザのバイオメトリクスの特徴に関連する情報を伝達するバイオメトリクス出力信号を生成するように構成されてもよい。前記歩数計は、前記パーソナルウェルネス装置を運ぶユーザの歩数に関連する情報を伝達する歩数出力信号を生成するように構成されてもよい。前記筋電気刺激インタフェイスは、電極を有する前記パーソナルウェルネス装置と遠隔で接続されるように構成されてもよい。前記電極は、ユーザに筋電気刺激を与えるよう構成されてもよい。前記カメラ装置は、ビジュアルデータをキャプチャするよう構成されてもよい。前記アクチュエータは、ユーザに触覚的なフィードバックを与えるよう構成されてもよい。前記通信装置は、前記パーソナルウェルネス装置から情報を受信及び／又は送信するよう構成されてもよい。前記電源供給部は、電力を前記パーソナルウェルネス装置の一又は複数の構成装置に供給するよう構成されてもよい。前記電子ストレージは、情報を電子的に保存するよう構成されてもよい。パーソナルウェルネス装置のプロセッサは、コンピュータプログラムモジュールを実行するように構成されてもよい。
【０００８】
前記ユーザインタフェースは、ユーザからの情報を受信し、情報を前記ユーザに提供するよう構成されてもよい。このように、前記ユーザインタフェースは、前記ユーザから情報を受信し、及び／又は前記ユーザに情報を提供することを促進するためのハードウェア及び／又はソフトウェアを含んでもよい。入力装置の例として、タッチスクリーン、タッチパッド、キーパッド、スイッチ、アナログスティック、ボタン、ダイアル、マイクロフォン、バイオメトリクスセンサ、及び／又はユーザから情報を受信するための他のハードウェアが一つ以上含まれる。出力装置の例として、ディスプレイ、タッチスクリーン、スピーカ、及び／又はユーザに情報を提供するように構成される他のハードウェアが一つ以上含まれる。ある実施形態においては、前記ユーザインタフェイスは、開姿勢において、ユーザにより前記パーソナルウェルネス装置にアクセス可能であってもよい。様々な実施形態において、前記パーソナルウェルネス装置が閉姿勢において、全て又は一部のユーザインタフェイスがユーザによりアクセス可能であってもよい。様々な実施形態において、前記パーソナルウェルネス装置が閉姿勢において全てのユーザインタフェイスがユーザによりアクセス不可能であってもよい。
【０００９】
前記ユーザアクセサリは、物理的に、及び／又は通信可能に前記パーソナルウェルネス装置と接続するように構成されてもよい。前記ユーザアクセサリは、前記パーソナルウェルネス装置におけるエクササイズの能力を拡張するよう構成されてもよく、前記パーソナルウェルネス装置のユーザに治療を提供するよう構成されてもよく、前記パーソナルウェルネス装置のユーザの一又は複数のバイタルサインの監視を促すよう構成されてもよく、及び／又は前記パーソナルウェルネス装置の他の機能を拡張するよう構成されてもよい。
【００１０】
前記パーソナルコンピューティングプラットフォームは、電子ストレージ、少なくとも一つのプロセッサ、及び／又は他の構成装置を一つ以上含んでもよい前記電子ストレージは、情報を電子的に保存するよう構成されてもよい。前記プロセッサは、コンピュータプログラムモジュールを実行するように構成されてもよい。前記パーソナルコンピューティングプラットフォームは、前記パーソナルウェルネス装置及び／又は前記パーソナルウェルネスシステムの他の構成装置と通信可能に接続するよう構成されてもよい。ある実施形態においては、前記コンピューティングプラットフォームは、パーソナルコンピュータ、ノートパソコン、タブレットコンピュータ、スマートフォン、パーソナルディジタルアシスタント（Ｐｅｒｓｏｎａｌ  Ｄｉｇｉｔａｌ  Ａｓｓｉｓｔａｎｔ、ＰＤＡ）、ゲームコンソール、及び／又は他のコンピューティングプラットフォームのうち一つ以上を含んでもよい。
【００１１】
前記パーソナルウェルネスプラットフォームサーバは、電子ストレージ、少なくとも一つのプロセッサ、及び／又は他の構成装置を一つ以上含んでもよい。前記電子ストレージは、情報を電子的に保存するよう構成されてもよい。前記プロセッサは、コンピュータプログラムモジュールを実行するように構成されてもよい。前記パーソナルウェルネスプラットフォームサーバは、前記パーソナルウェルネス装置及び／又は前記パーソナルウェルネスシステムの他の構成装置と通信可能に接続するように構成されてもよい。
【００１２】
一又は複数の前記パーソナルウェルネス装置、前記パーソナルコンピューティングプラットフォーム、及び／又は前記パーソナルウェルネスプラットフォームサーバのプロセッサは前記パーソナルウェルネスシステムにおいて、情報を処理する能力を与えるよう構成されてもよい。これらの一又は複数のプロセッサは、デバイスプラットフォーム通信モジュール、エクササイズ追跡モジュール、エクササイズ分析モジュール、身体的属性モジュール、インストラクションモジュール、計画設計モジュール、エクササイズスケジューリングモジュール、栄養モジュール、リハビリモジュール、及び／又は他のコンピュータプログラムモジュールを一つ以上実行するよう構成されてもよい。
【００１３】
デバイスプラットフォーム通信モジュールは、少なくとも一つのパーソナルウェルネス装置と、限定はされないが前記パーソナルコンピューティングプラットフォーム及び／又は前記パーソナルウェルネスプラットフォームサーバといった前記パーソナルウェルネスシステムの他の構成装置との間の情報の伝送を促進するよう構成されてもよい。様々な実施形態において、パーソナルウェルネス装置とパーソナルウェルネスシステムの他の構成装置との間で伝送される情報は、追跡されたエクササイズ（以下で更に記載する。）、パーソナルウェルネス装置を使用して行われる一又は複数のエクササイズに対する補助、エクササイズによる訓練、予定されたエクササイズに関連付けられたアラート、ダイエットプログラム、力出力信号及び／又は力出力信号から得られた情報、及び／又は前記パーソナルウェルネスシステムに関連付けられた他の情報に基づく一又は複数のエクササイズのパラメータを含んでもよい。前記パーソナルウェルネス装置は、社交や商売を促してもよい。
【００１４】
前記追跡モジュールは、前記パーソナルウェルネス装置を用いて行われたエクササイズを追跡するよう構成されてもよい。エクササイズを追跡するというのは、個人のエクササイズを監視、及び／又は記録することが含まれてもよい。前記パーソナルウェルネス装置と共に行われた個人のエクササイズに関連付けられる情報は、前記パーソナルウェルネスシステムの電子的なストレージ、及び／又は前記パーソナルウェルネスシステムによってアクセス可能なストレージによって記録されてもよい。
【００１５】
一部の実施形態によると、前記エクササイズ追跡モジュールは、力覚センサにより生成された力出力信号、地理的位置センサによって生成された位置出力信号、前記モーションセンサによって生成されたモーション出力信号、及び／又は他の情報及び／又は信号に基づいて、エクササイズを追跡するよう構成されてもよい。非限定的な例として、前記エクササイズ追跡モジュールは、前記力出力信号に基づいて、前記パーソナルウェルネス装置に作用する圧縮力の大きさ、圧縮力が前記パーソナルウェルネス装置に作用する期間、時間関数で表現される力の大きさのプロファイル、及び／又は前記パーソナルウェルネス装置に作用する圧縮力の量を一つ以上監視及び記録してもよい。前記エキササイズ追跡モジュールは、位置出力信号に基づいて、前記パーソナルウェルネス装置のユーザが行ったエクササイズの間、経路、距離、及び／又は移動距離を監視及び記録してもよい。前記エクササイズ追跡モジュールは、モーション出力信号に基づいて、前記パーソナルウェルネス装置と連結している、及び／又は物理的に接続している（例えば、握られている、結び付けられている、若しくは貼り付けられている）ユーザの体の部分（例えば、ユーザの手）の動き及び／又は方向を監視、及び記録してもよい。
【００１６】
ある実施形態では、前記エクササイズ追跡モジュールは、前記パーソナルウェルネス装置の位置又は複数の構成装置及び又は本明細書で記載されるモジュールから受信した情報及び／又は信号に基づいて、前記パーソナルウェルネス装置を用いて行われるエクササイズを認識するよう構成されてもよい。
【００１７】
ある実施形態では、前記エクササイズ追跡モジュールは、前記パーソナルウェルネス装置の位置又は複数の構成装置及び又は本明細書で記載されるモジュールから受信した情報及び／又は信号に基づいて、前記パーソナルウェルネス装置を用いて行われるエクササイズの種類をを特定するよう構成されてもよい。エクササイズの種類の例として、柔軟性エクササイズ（例えば、ストレッチ、ヨガ、及び／又は他の柔軟性エクササイズ）、有酸素性エクササイズ（例えば、自転車、水泳、ウォーキング、ロープスキッピング、ボート、ランニング、ハイキング、テニス、及び／又は他の有酸素性エクササイズ）、及び／又は他の種類のエクササイズが一つ以上含まれてもよい。
【００１８】
エクササイズ分析モジュールは、前記エクササイズ追跡モジュールで追跡されたエクササイズに基づいて、一又は複数のエクササイズのパラメータを決定するよう構成されてもよい。様々な実施形態によると、このようなエクササイズのパラメータの例として、心肺の持久力、呼吸の持久力、スタミナ、強さ、柔軟性、力、スピード、運動神経、アジリティ、及び／又はバランスに関連付けられた情報、消費カロリー又は消費エネルギー、予め定められたエクササイズルーチンの達成レベル、特定のエクササイズ及び／又はエクササイズ一般の頻度、定量化されたエクササイズでの改善度、及び／又は他のエクササイズのパラメータが一つ以上含まれてもよい。一部の実施形態において、一又は複数のエクササイズのパラメータは、他のパーソナルウェルネス装置の一又は複数のユーザの追跡されたエクササイズとの比較に基づいていてもよい。例えば、共通の経路を走るのに掛かった時間が二以上のユーザ間で比較されてもよい。他の例として、特にエクササイズにおける繰り返し回数の改善が二以上のユーザ間で比較されてもよい。
【００１９】
エクササイズ以外に、前記エクササイズ分析モジュールは、ウェルネスに関する他の分野、及び／又はユーザの条件を分析するよう構成されてもよい。このようなウェルネスに関する他の分野として、栄養、リラクゼーション、及び／又はウェルネスに関する他の分野が含まれる。ユーザの条件とは、心拍数、及び／又は体に関する他の測定値に基づいて決定されてもよい。前記エクササイズ分析モジュールは、エクササイズ、ユーザの条件、個々のウェルネスに関する分野、及び／又はウェルネスに関連付けられた他の情報を利用した統合的な分析を提供してもよい。
【００２０】
身体的属性モジュールは、身体的属性に関する情報を受信するよう構成されてもよい。身体的属性情報の例として、身長、体重、年齢、ジェンダー、及び／又は他の肉体的な属性が一つ以上含まれていてもよい。ある実施形態においては、身体的属性情報は、前記パーソナルウェルネス装置から前記ユーザインタフェイスを介して受信されてもよい。ある実施形態では、身体的属性モジュールは、身体的属性情報を自動で受信するよう構成されてもよい。例えば、前記パーソナルウェルネス装置は、前記身体的属性モジュールに対して体重情報を自動的に提供するための秤として機能するアクセサリと一緒に用いられてもよい。前記パーソナルコンピューティングプラットフォーム及び／又はパーソナルウェルネスプラットフォームサーバは、前記デバイスプラットフォーム通信モジュールを介して、前記パーソナルウェルネス装置から身体的属性情報を受信してもよい。
【００２１】
前記インストラクションモジュールは、前記パーソナルウェルネス装置を用いて行われる一又は複数のエクササイズの補助を提供するよう構成されてもよい。補助の例として、インストラクション、ガイダンス、アドバイス、コーチング、及び／又は他の補助が一つ以上含まれる。前記補助は、テクスト、イラスト、ビデオ、音、音声、及び／又は前記ユーザインタフェイスを介して提供されるメディアによって提供されてもよい。一部の実施形態では、前記インストラクションモジュールは、所定のエクササイズが行われる前、間、及び／又は行われた後にユーザを補助するよう構成されてもよい。前記インストラクションモジュールが提供する前記補助が、人間のトレーナ、栄養士、セラピスト、及び／又は、コーチとのライブのインタラクション、自動応答、及び／又はエクササイズの補助に関する他の情報源の一つ以上に基づいてもよい。
【００２２】
前記計画設計モジュールは、エクササイズの計画を設計するのを促進するよう構成されてもよい。一部の実施形態では、エクササイズの計画は、個人のウェルネスに肯定的な結果となる計画を含んでいてもよい。前記計画は、エクササイズを行う時間の予定、計画全体の時間、計画における特定のエクササイズ、パフォーマンスのマイルストーン、及び／又は個人のエクササイズに関連付けられた他の情報を含んでもよい。エクササイズの計画は、ユーザにより手動で計画され、前記計画設計モジュールを介して自動で設計され、及び／又は手動及び自動を組み合わせて設計されてもよい。エクササイズの計画、又はその一部は、過去に追跡されたエクササイズ、過去に決定されたエクササイズのパラメータ、身体的属性、前記インストラクションモジュールから提供されたフィードバック、栄養に関する情報、及び／又は前記パーソナルウェルネスシステムに関連付けられた情報の一つ以上に基づいて自動的に設計されてもよい。
【００２３】
エクササイズスケジューリングモジュールは、ユーザに関連付けられた一又は複数の予定されたエクササイズを監視し、及び／又は前記一又は複数の予定されたエクササイズに関連付けられたアラートを提供するよう構成されてもよい。予定されたエクササイズを監視する事には、ユーザに関連付けられた、エクササイズの計画（例えば、前記計画設計モジュール参照。）、及び／又はカレンダーに基づいて予定されたスケジュールを特定することが含まれてもよい。予定されたエクササイズに関連付けられたアラートを提供する事には、トーン（ｔｏｎｅ）、及び／又は他の可聴音を、パーソナルウェルネス装置を介して鳴らす事、及び／又はＥ−ｍａｉｌ、テクストメッセージ、リマインダ、音声メッセージ、及び／又は前記パーソナルウェルネス装置、前記パーソナルコンピューティングプラットフォーム、及び／又は前記パーソナルウェルネスプラットフォームサーバを介してアクセス可能な他の通信手段によるメッセージを前記ユーザに送信する事が含まれてもよい。一部の実施形態において、前記エクササイズスケジューリングモジュールは、ユーザに関連付けられたカレンダーにおける非エクササイズの要素に基づいてエクササイズの計画を調整するよう構成されてもよい。例えば、エクササイズが所定の時間に予定されているが、ユーザがその時間にすでに予定がある場合、前記エクササイズスケジューリングモジュールは、すでにある予定と調整するために、前記エクササイズの時間をスケジュールし直してもよい。他の例として、前記エクササイズスケジューリングモジュールは、カロリー摂取量とカロリー消費量で望ましいバランスをとるために、ダイエットプログラムに適合するよう、一又は複数の予定されたエクササイズを調節するよう構成されてもよい。
【００２４】
前記栄養モジュールは、ユーザのダイエットを分析し、及び／又はダイエットプログラムを計画することを促進するよう構成されてもよい。ダイエットプログラムは、特定の選択された食事及び前記選択された食事を消費する予定が含まれてもよい。ダイエットプログラムは、目標体重になるよう、及び／又はを維持するよう計画されてもよい。ダイエットプログラムは、ユーザにより手動で計画され、前記栄養モジュールを介して自動で計画され、及び／又は手動及び自動を組み合わせて計画されてもよい。ダイエットプログラム、又はその一部は、身体的属性、フィットネス、及び／又は目標体重、ダイエットのマイルストーン、及び／又は前記パーソナルウェルネスシステムに関連付けられた他の情報のうち一つ以上に基づいて自動的に計画されてもよい。
【００２５】
前記リハビリモジュールは、筋電気刺激による処置を筋電気刺激インタフェイスを介してユーザに提供するよう構成されてもよい。筋電気刺激による処置には、電気的なインパルスを用いた筋肉収縮を引き出すことが含まれてもよい。前記インパルスは、筋肉の収縮を引き起こすユーザの中枢神経システムから流れる活動電位を模倣したものでもよい。前記インパルスは、前記筋電気刺激インタフェイスから前記筋電気刺激インタフェイスと動作可能に接続された電極へ流れてもよい。前記電極は、ユーザの皮膚に接着するよう構成されたパッドを含む。前記インパルスは、直接皮膚の上にある前記電極から、刺激されるべき筋肉の近傍に伝達されてもよい。
【００２６】
本発明の上記及び上記以外の目的、特徴、及び性質、並びに、関連する構成要素の動作方法及び機能、そして製造における各部分の組み合わせと経済性については、添付図面を参照しつつ以下の詳細な説明と添付の特許請求の範囲を検討することによってさらに明らかになる。これらはいずれも本明細書の一部を構成する。本明細書において、同様の参照符号は種々の図における対応部分を表している。添付図面は例示及び説明のためのものであり、本発明の発明特定事項の定義として用いることは意図されていない。本明細書及び特許請求の範囲における用法によれば、単数形の「ａ」、「ａｎ」及び「ｔｈｅ」には複数のものへの言及が含まれる。ただし、文脈によって別に解すべきことが明白な場合はこの限りでない。
【図面の簡単な説明】
【００２７】
【図１】一又は複数の実施形態におけるパーソナルウェルネス装置を介して、パーソナルウェルネスの管理を促進するよう構成されたパーソナルウェルネスシステムを図示した図
【００２８】
【図２】一又は複数の実施形態における前記パーソナルウェルネスシステムの一又は複数の構成装置一例を示した図
【００２９】
【図３】一又は複数の実施形態におけるパーソナルウェルネス装置を介したパーソナルウェルネスの管理を促進する方法を示した図
【発明を実施するための形態】
【００３０】
図１は、一又は複数の実施形態におけるパーソナルウェルネス装置を介して、パーソナルウェルネスの管理を促進するよう構成されたパーソナルウェルネスシステム１００を図示する。パーソナルウェルネスシステム１００は、一又は複数のパーソナルウェルネス装置１０２を含む。各々のパーソナルウェルネス装置１０２は、その装置を利用することで個人のエクササイズ（Ｐｅｒｓｏｎａｌ  Ｅｘｅｒｃｉｓｅ、パーソナルエクササイズ）及び個人のウェルネスの管理を促進するよう構成された、携帯型のハンドヘルド装置であってもよい。一部の実施形態において、少なくとも一つのパーソナルウェルネス装置１０２とパーソナルウェルネスシステム１００の他の構成装置との間で情報が伝送されてもよい。パーソナルウェルネス装置１０２を用いて行われるエクササイズは、追跡されてもよく、個人のエクササイズが監視される、及び／又は記録されることが含みうる。エクササイズは、パーソナルウェルネス装置１０２に作用する力、パーソナルウェルネス装置１０２の位置、パーソナルウェルネス装置１０２の動き、及び／又は個人のエクササイズを追跡する他の要素に基づいて追跡されてもよい。エクササイズのパラメータは、追跡されたエクササイズに基づいて決定されてもよい。このようなエクササイズのパラメータは、心肺の持久力、呼吸の持久力、スタミナ、強さ、柔軟性、力、スピード、運動神経、アジリティ、及び／又はバランスに関連付けられた情報、消費カロリー又は消費エネルギー、予め定められたエクササイズルーチンの達成レベル、特定のエクササイズ及び／又はエクササイズ一般の頻度、定量化されたエクササイズでの改善度、及び／又は他のエクササイズのパラメータを一つ以上含む。一部の実施形態において、前記パーソナルウェルネスシステム１００は、自動及び／又はライブのコーチング、計画設計、エクササイズスケジューリング、ダイエットプログラムの計画、リハビリウェルネスプログラム、前述のうち二つ以上を統合したウェルネスプログラムの計画及び／又はスケジューリング、及び／又はパーソナルウェルネスの管理に関連付けられた他の機能を促進してもよい。
【００３１】
パーソナルウェルネス装置１０２に加え、パーソナルウェルネスシステム１００は、ユーザアクセサリ１０４、外部リソース１０６、パーソナルコンピューティングプラットフォーム１０８、パーソナルウェルネスプラットフォームサーバ１１０、及び／又はパーソナルウェルネス装置１０２が有する一又は複数の機能を補完及び／又は含む他の構成装置を一つ以上含んでもよい。前記パーソナルウェルネス装置１００、前記パーソナルコンピューティングプラットフォーム１０８、前記パーソナルウェルネスプラットフォームサーバ１１０、前記ユーザアクセサリ１０４、及び／又は外部リソース１０６といった前記パーソナルウェルネスシステムの構成装置は電子的な通信リンクを介して操作可能に接続されていてもよい。例えば、このような電子通信リンクは、少なくとも部分的にインターネット、ＷｉＦｉ、ＬＡＮ、ＡＮＴ＋、Ｂｌｕｅｔｏｏｔｈ、Ｌｏｗ−ｐｏｗｅｒ  Ｂｌｕｅｔｏｏｔｈ、及び／又は他のネットワークを含む有線又は無線ネットワークを介して確立されてもよい。これは限定を意図したものでなく、本開示の範囲は、個人ウェルネス装置１０２、パーソナルコンピューティングプラットフォーム１０８、個人用のウェルネスプラットフォームサーバ１１０、ユーザアクセサリ１０４及び／又は外部リソース１０６が通信メディアを介して作動的に接続される実施形態を含むことが理解されるであろう。
【００３２】
図１に示されるとおり、パーソナルウェルネス装置１０２は、力覚センサ１１２、地理的位置センサ１１４、モーションセンサ１１６、心拍数センサ１１８、血糖センサ１２０、バイオメトリクスセンサ１２２、歩数計１２４、筋電気刺激（ＥＭＳ）インタフェイス１２６、カメラ装置１２８、アクチュエータ１３０、ユーザインタフェイス１３２、通信装置１３４、電源１３６、電子ストレージ１３８、プロセッサ１４０、及び／又は他の構成装置を一つ以上含んでもよい。一部の実施形態においては、ハウジング本体１４１は、第１のハウジング本体、及び第２のハウジング本体を含む二つのハウジング本体を備えていてもよい。第１のハウジング本体と第２のハウジング本体は、前記二つのハウジング本体が開姿勢と閉姿勢との間で再配置できるような接続機構によって、移動可能に一緒に接続されていてもよい。前記二つのハウジング本体は、閉姿勢において、個人のエクササイズの間に圧縮力を受けるように構成されてもよい。ユーザインタフェイス１３２は、開姿勢の二つのハウジング本体において、アクセス可能であってもよい。ある例示的な実施形態における二つのハウジング本体を備えるパーソナルウェルネス装置は、２０１２年６月１９日に出願された米国特許出願番号１３／５２７，４６５号（発明の名称：「Ｐｅｒｓｏｎａｌ  Ｗｅｌｌｎｅｓｓ  Ｄｅｖｉｃｅ」）で記載されており、この米国特許出願の全内容が引用により本明細書に組み入れられる。
【００３３】
力覚センサ１１２は、パーソナルウェルネス装置１０２に作用する圧縮力に関連する情報を伝達する力出力信号を生成するように構成されてもよい。このような情報は、力の大きさ、力がかかる期間、時間関数で表現される力の大きさのプロファイル、圧縮力の量及び／又はパーソナルウェルネス装置１０２に作用する圧縮力に関連する他の情報を含む、又は決定するよう用いられてもよい。本明細書においてさらに記載されるとおり、力覚センサ１１２で生成される前記力出力信号は、プロセッサ１４０で実行可能な一又は複数のモジュールによって受信され、及び／又は利用されてもよい。非制限的な例として、力覚センサ１１２はＴｅｋｓｃａｎによるＦｌｅｘｉＦｏｒｃｅ  Ａ２０１力覚センサを含んでもよい。しかしながら、力を検知するよう構成された他の装置も考えられ、本発明の範囲内に含まれる。
【００３４】
地理的位置センサ１１４は、パーソナルウェルネス装置１０２の地理的位置に関連する情報を伝達する位置出力信号を生成するように構成されてもよい。前記位置出力信号は、個人のエクササイズの一又は複数のパラメータを測るために用いられてもよい。このようなパラメータは、速度、移動距離、移動の経路、及び／又はパーソナルウェルネス装置１０２の地理的位置に関連する他のパラメータであってもよい。非制限的な例として、地理的位置センサ１１４は、ＧＰＳ装置及び／又は地理的位置に関連する信号を生成するよう構成された他の装置であってもよい。しかしながら、位置を計測するよう構成された他の装置も考えられ、本発明の範囲内に含まれる。
【００３５】
モーションセンサ１１６は、パーソナルウェルネス装置１０２の動き及び／又は方向に関連する情報を伝達するモーション出力信号を生成するように構成されてもよい。前記モーション出力信号は、動き、動きの変化、方向、方向の変化、及び／又はそれらから得られる情報を測定するために用いられてもよい。非制限的な例として、モーションセンサ１１６は、動き及び／又は方向に関連した信号を生成するよう構成された加速度計を含んでもよい。しかしながら、動き及び／又は方向を計測し、及び／又は検知するよう構成された他の装置や方法も考えられ、本発明の範囲内に含まれる。
【００３６】
心拍数センサ１１８は、パーソナルウェルネス装置１０２に関連付けられたユーザの心拍数に関連する情報を伝達する心拍数出力信号を生成するように構成されてもよい。心拍数センサ１１８は心電図検査法（electrocardiography、ＥＣＧ又はＥＫＧ）が利用されてもよい前記心拍数出力信号は、後の診察及び／又は分析のために用いられる心拍数データを記録するために用いられてもよいし、又はリアルタイムで心拍数を監視するために用いられてもよいある実施形態においては、心拍数センサ１１８がユーザとパーソナルウェルネス装置１０２との間で物理的に接触する方法で前記ユーザの心拍数を計測できるように、前記心拍数センサ１１８がパーソナルウェルネス装置１０２に統合されていてもよい。ある実施形態においては、心拍数センサ１１８が、パーソナルウェルネス装置１０２から別体で別個のものである心拍数センサと通信可能に接続していてもよい。別体で別個のものである心拍数センサの例として、胸ストラップ、フィンガークリップ、心拍数センサが統合された装飾品、及び／又は心拍数を検知するよう構成された他の装置がある。
【００３７】
血糖センサ１２０は、パーソナルウェルネス装置１０２に関連付けられたユーザの血中の糖分の濃度に関連する情報を伝達する糖分出力信号を生成するように構成されてもよい。前記糖分出力信号は、糖分の濃度及び／又はそれらから得られる情報を決定するために用いられてもよい。ある実施形態では、血糖センサ１２０は、前記糖度出力信号を生成するために、ユーザに血液のサンプルを要求してもよい。ある実施形態においては、血糖センサ１２０は、糖分の濃度を決定するために、近赤外線検知、超音波、誘電分光、及び／又は他の非侵襲性技術を含む一又は複数の非侵襲性技術に基づくものでもよい。
【００３８】
バイオメトリクスセンサ１２２は、ユーザのバイオメトリクスの特徴に関連する情報を伝達するバイオメトリクス出力信号を生成するように構成されてもよい。前記バイオメトリクス出力信号は、パーソナルウェルネス装置１０２のユーザの特定及び／又は認証のために用いられてもよい。ユーザのバイオメトリクスの特徴として、前記ユーザの体の形に関連する生理形質を含んでもよい。生理的な形質の例として、指紋、顔、手のひら、手、虹彩、網膜、及び／又は他の生理的な形質が含まれる。ユーザのバイオメトリクスの特徴として、前記ユーザに関連付けられたデオキシリボ核酸（Ｄｅｏｘｙｒｉｂｏｎｕｌｃｅｉｃ  ａｃｉｄ、ＤＮＡ）を含んでもよい。バイオメトリクスセンサ１２２は、画像キャプチャ装置、バイオメトリクススキャナ、及び／又はバイオメトリクスの特徴を観察するよう構成された他の装置を含んでもよい。ある実施形態では、バイオメトリクスセンサ１１２はユーザインタフェイス１３２に含まれていてもよい。
【００３９】
歩数計１２４は、パーソナルウェルネス装置１０２を運ぶユーザの歩数に関連する情報を伝達する歩数出力信号を生成するように構成されてもよい。前記歩数出力信号は、歩数、移動距離、及び／又はユーザの歩数から得られる、若しくはに関連する他の情報を決定するために用いられてもよい。ある実施形態では、歩数計１２４は、パーソナルウェルネス装置１０２と通信可能に接続し、パーソナルウェルネス装置１０２に歩数出力信号を送信するよう構成された別体で別個のものである装置を含んでもよい。
【００４０】
筋電気刺激インタフェイス１２６は、電極を有するパーソナルウェルネス装置１０２と遠隔で接続されるように構成されてもよい。前記電極は、ユーザに筋電気刺激を与えるよう構成されてもよい。ある実施形態においては、電気パルス（又は、他の波形）が前記筋電気刺激インタフェイス１２６によって前記電極に与えられ、そして近接の筋肉が受動的にエクササイズされるようユーザの体の表面領域に前記電気パルスが伝達されてもよい。
【００４１】
カメラ装置１２８は、ビジュアルデータをキャプチャするよう構成されてもよい。前記ビジュアルデータは、静止画、ビデオ、及び／又は他のビジュアルデータであってもよい。一部の実施形態において、カメラ装置１２８はバイオメトリクスセンサとして利用されてもよい。カメラ装置１２８は、非制限的な例として、デジタルカメラ、２Ｄカメラ、３Ｄカメラ、及び／又は他のイメージング装置であってもよい。
【００４２】
アクチュエータ１３０は、ユーザに触覚的なフィードバックを与えるよう構成されてもよい。触覚的なフィードバックは、好ましくは、ある使用形態において、例えばオーディオ又はビジュアルといった他のフィードバックメカニズムが不必要であってもよい。触覚的なフィードバックは、前記ユーザに与えられる力、振動、動き、及び／又は他の触覚的なフィードバックを含んでもよい。アクチュエータ１３０は、パーソナルウェルネス装置１０２の一又は複数の動きを生じさせるよう構成される機械式の装置を含んでもよい。ある実施形態においては、アクチュエータ１３０は、ドライブシャフトが振動を生成するようにドライブシャフトを不均衡な質量分布とした電気モータが含まれていてもよい。触覚フィードバックの一又は複数のパラメータは、ユーザに異なる情報を伝達できるように異なっていてもよい。前記パラメータは、方向、発生源の位置、期間、振動数、振幅、及び／又は他のパラメータを一つ以上含んでもよい。
【００４３】
ユーザインタフェース１３２は、ユーザからの情報を受信し、情報を前記ユーザに提供するよう構成されてもよい。このように、ユーザインタフェース１３２は、前記ユーザから情報を受信し、及び／又は前記ユーザに情報を提供することを促進するためのハードウェア及び／又はソフトウェアを含んでもよい。入力装置の例として、タッチスクリーン、タッチパッド、キーパッド、スイッチ、アナログスティック、ボタン、ダイアル、マイクロフォン、バイオメトリクスセンサ、及び／又はユーザから情報を受信するための他のハードウェアが一つ以上含まれる。出力装置の例として、ディスプレイ、タッチスクリーン、スピーカ、及び／又はユーザに情報を提供するように構成される他のハードウェアが一つ以上含まれる。
【００４４】
一部の実施形態において、ユーザインタフェイス１３２は、他のユーザのセッティングを現在のユーザのセッティングに設定可能となるよう構成されてもよい。ユーザインタフェース１３２は、ユーザが設定可能なセッティングの値からユーザにより選択されたものを受信するように構成されてもよい。一又は複数のユーザが設定可能なセッティングは、パーソナルウェルネス装置１０２の一又は複数の構成装置の現在の動作に影響を与えるものであってもよい。非限定的な例として、ユーザが設定可能なセッティングが、パーソナルウェルネス装置１０２の一又は複数の構成装置を活性化、及び／又は非活性化してもよいし、及び／又はパーソナルウェルネス装置１０２の動作の一又は複数の態様を設定することができてもよい。このユーザが設定可能なセッティングは、個人のエクササイズ及び／又はパーソナルウェルネス装置のユーザのウェルネスと関連していてもよい。このユーザが設定可能なセッティングは、パーソナルウェルネス装置１０２のプロセッサ１４０に提供されてもよい。このユーザが設定可能なセッティングは、ユーザアクセサリ１０４の一又は複数のユーザアクセサリと、パーソナルコンピューティングプラットフォーム１０８と、パーソナルウェルネスプラットフォームサーバ１１０と、及び／又はパーソナルウェルネスシステム１００の他の構成装置に提供されてもよい。
【００４５】
通信装置１３４は、パーソナルウェルネス装置１０２から情報を受信及び／又は送信するよう構成されてもよい。このように、前記通信装置１３４は、無線通信インタフェイス及び有線通信インタフェイスのうち一つ又はその両方を含んでもよい。通信インタフェイスの例として、有線又は無線の送信部、有線又は無線の受信部、及び／又は優先又は無線の送受信部が含まれていてもよい。通信装置１３４は、パーソナルウェルネス装置１０２をコンピューティングプラットフォームに通信可能に接続し（例えば、パーソナルコンピューティングプラットフォーム１０８及び／又はパーソナルウェルネスプラットフォームサーバ１１０）、二つのハウジング本体、パーソナルウェルネス装置１０２から分離し区別されるユーザアクセサリ、及び／又はパーソナルウェルネスシステム１００の他の構成装置に作用する圧縮力に関連する情報を受信し、処理するよう構成されてもよい。
【００４６】
電源１３６は、電力をパーソナルウェルネス装置１０２の一又は複数の構成装置に供給するよう構成されてもよい。非制限的な例において、電源１３６はバッテリ、キャパシタ、電力を外部から受給される受給部（例えば、壁ソケット）、及び／又は他の電源を一つ以上含んでもよい。一部の実施形態において、電源１３６は再充電可能であってもよい。ある実施形態において、通信装置１３４はＵＳＢポート又は他の有線通信ポートを含んでもよく、通信装置１３４は電力を再充電するためにパーソナルウェルネスシステム１００、及び／又は他のソースから、電源１３６は際准電されてもよい。
【００４７】
電子ストレージ１３８は、情報を電子的に保存するよう構成されてもよい。電子ストレージ１３８と同一の又は類似する様々な電子ストレージが本明細書にてさらに説明される。
【００４８】
プロセッサ１４０は、コンピュータプログラムモジュールを実行するように構成されてもよい。プロセッサ１４０と同一の又は類似のプロセッサの例が図2に関連して記載される。
【００４９】
ユーザアクセサリ１０４は、物理的に、及び／又は通信可能にパーソナルウェルネス装置１０２と接続されるよう構成されてもよい。ユーザアクセサリ１０４は、パーソナルウェルネス装置１０２におけるエクササイズの機能を拡張するよう構成されてもよく、パーソナルウェルネス装置１０２のユーザに治療を提供するよう構成されてもよく、パーソナルウェルネス装置１０２のユーザの一又は複数のバイタルサインの監視を促すよう構成されてもよく、及び／又はパーソナルウェルネス装置１０２の他の機能を拡張するよう構成されてもよい。
【００５０】
ユーザアクセサリ１０４が、パーソナルウェルネス装置１０２のエクササイズの機能を拡張するよう構成された実施形態においては、ユーザアクセサリ１０４はストラップ（図１には不図示。）又は本明細書で記載されたストラップが有する機能に似た機能を発揮するよう構成された他の装置を含んでもよい。このようなストラップは、パーソナルウェルネス装置１０２に物理的に接続し、ストラップに作用する張力に応じてパーソナルウェルネス装置１０２に圧縮力が作用するよう促してもよい。前記ストラップは、フック、スナップ、面ファスナー、及び／又は他の着脱可能に接続する手段により、パーソナルウェルネス装置１０２に着脱可能に接続してもよい。
【００５１】
ユーザアクセサリ１０４が、パーソナルウェルネス装置１０２のユーザに治療を提供するような実施形態においては、ユーザアクセサリ１０４は電極を含んでもよい。ある実施形態においては、筋電気刺激インタフェイス１２６は、電極を有するパーソナルウェルネス装置１０２と遠隔で接続されるように構成されてもよい。前記電極は、ユーザに筋電気刺激を与えるよう構成されてもよい。
【００５２】
ユーザアクセサリ１０４が、パーソナルウェルネス装置１０２のユーザの一又は複数のバイタルサインを監視するのを促すよう構成されている実施形態においては、ユーザアクセサリ１０４は、体温、心拍数、呼吸レート、血圧、汗、及び／又は他のバイタルサインを一つ以上監視することを促すよう構成された一又は複数のアクセサリが含まれていてもよい。ある実施形態においては、ユーザアクセサリ１０４は、胸ストラップ、フィンガークリップ、心拍数センサが統合された装飾品、及び／又は心拍数を検知し、心拍数センサ１１８と通信可能に接続するよう構成された他の装置であってもよい。一部の実装態様においては、ユーザアクセサリ１０４は、血圧センサを含んでもよい。血圧センサは、パーソナルウェルネス装置１０２に関連付けられたユーザの血圧に関連する情報を伝達する血圧出力信号を生成するよう構成されてもよい。
【００５３】
ユーザアクセサリ１０４がパーソナルウェルネス装置１０２の他の機能を拡張するよう構成された実施形態において、ユーザアクセサリ１０４は、有線のヘッドセット、無線ヘッドフォン、ディスプレイを有する装置、ユーザの体に取り付けられ、動き、ポジション、及び／又はユーザに関連付けられた他の情報を伝達する信号を提供する一又は複数のセンサ、ユーザ及び／又は体の部分の動き、サイズ及び／又はポジションを決定するよう構成された装置（例えば、ＭＳ  ＫｉｎｅｃｔＴＭ）及び／又はパーソナルウェルネス装置１０２の一又は複数の機能を拡張するよう構成された他のアクセサリを一つ以上含んでもよい。ユーザ及び／又は体の部分の動き、サイズ、及び／又はポジションを決定するよう構成された装置は、ユーザの体に取り付けられた一又は複数のセンサから受信した光学的な情報、信号、及び／又はユーザに関連付けられた他の情報に基づいて、決定してもよい。
【００５４】
外部リソース１０６は、情報のソース、パーソナルウェルネスシステムのホスト及び／又はプロバイダ、パーソナルウェルネスシステム１００への外部からの参加者、及び／又は他のリソースであってもよい。一部の実施形態において、外部リソース１０６は、医者用ソフトウェア、病院用コンタクトマネジメントシステム（Ｃｏｎｔａｃｔ  Ｍａｎａｇｅｍｅｎｔ  Ｓｙｔｅｍ、ＣＭＳ）、法人用ＣＭＳ、及び／又は他のリソースが含まれてもよい。一部の実施形態において、外部リソース１０６の機能の一部又はすべてが、パーソナルウェルネスシステム１００に含まれるリソースによって提供されてもよい。
【００５５】
パーソナルコンピューティングプラットフォーム１０８は、電子ストレージ１４２、少なくとも一つのプロセッサ１４４、及び／又は他の構成装置を一つ以上含んでもよい。電子ストレージ１４２は、情報を電子的に保存するよう構成されてもよい。電子ストレージ１４２と同一の又は類似する様々な電子ストレージが本明細書にてさらに説明される。プロセッサ１４４は、コンピュータプログラムモジュールを実行するように構成されてもよい。プロセッサ１４４と同一の又は類似のプロセッサの例が図2に関連して記載される。パーソナルコンピューティングプラットフォーム１０８は、前記パーソナルウェルネス装置１０２及び／又はパーソナルウェルネスシステム１００の他の構成装置と通信可能に接続するよう構成されてもよい。パーソナルコンピューティングプラットフォーム１０８は、個人用エクササイズ、パーソナルウェルネス装置１０２に作用する圧縮力、及び／又はパーソナルウェルネスシステム１００に関連付けられた他の情報の一つ以上に関連する情報を受信、送信、処理、及び／又は保存するよう構成されてもよい。ある実施形態においては、コンピューティングプラットフォーム１０４は、パーソナルコンピュータ、ノートパソコン、タブレットコンピュータ、スマートフォン、パーソナルディジタルアシスタント（Ｐｅｒｓｏｎａｌ  Ｄｉｇｉｔａｌ  Ａｓｓｉｓｔａｎｔ、ＰＤＡ）、ゲームコンソール、及び／又は他のコンピューティングプラットフォームを一つ以上含んでもよい。
【００５６】
パーソナルウェルネスプラットフォームサーバ１１０は、電子ストレージ１４６、少なくとも一つのプロセッサ１４８、及び／又は他の構成装置を一つ以上含んでもよい。電子ストレージ１４６は、情報を電子的に保存するよう構成されてもよい。電子ストレージ１４６と同一の又は類似する様々な電子ストレージが本明細書にてさらに説明される。プロセッサ１４８は、コンピュータプログラムモジュールを実行するように構成されてもよい。プロセッサ１４６と同一の又は類似のプロセッサの例が図２に関連して記載される。パーソナルウェルネスプラットフォームサーバ１１０は、パーソナルウェルネス装置１０２及び／又はパーソナルウェルネスシステム１００の他の構成装置と通信可能に接続するよう構成されてもよい。パーソナルウェルネスプラットフォームサーバ１１０は、個人のエクササイズ、パーソナルウェルネス装置１０２に作用する圧縮力、及び／又はパーソナルウェルネスシステム１００に関連付けられた他の情報の一つ以上に関連する情報を受信、送信、処理、及び／又は保存するよう構成されてもよい。一部の実施形態においては、パーソナルウェルネスプラットフォームサーバ１１０は、パーソナルウェルネスプラットフォームサーバ１１０と共に動作するコンピューティングプラットフォームのクラウドによって実装されてもよい。
【００５７】
パーソナルウェルネス装置１０２の電子ストレージ１３８、パーソナルコンピューティングプラットフォーム１０８の電子ストレージ１４２及び／又はパーソナルウェルネスプラットフォームサーバ１１０の電子ストレージ１４６は電子的に情報を保存する電子ストレージメディアを備えてもよい。このような電子ストレージメディアには、パーソナルウェルネス装置１０２、パーソナルコンピューティングプラットフォーム１０８、及び／又はパーソナルウェルネスプラットフォームサーバ１１０に対して統合的に（すなわち、実質的に着脱が不可能に）提供されるシステムストレージが含まれてもよい。電子ストレージメディアには、例えばポート（例えばＵＳＢポート、ファイヤーワイヤーポート等）やドライブ（例えばディスクドライブ等）を介して、パーソナルウェルネス装置１０２、パーソナルコンピューティングプラットフォーム１０８、及び／又はパーソナルウェルネスプラットフォームサーバ１１０に遠隔で接続が可能である、着脱可能なストレージが含まれてもよい。電子ストレージ１３８、電子ストレージ１４２及び／又は電子ストレージ１４６には、光学的に読み取り可能な記憶メディア（例えば光学ディスク等）、磁気的に読み取り可能な記憶メディア（例えば磁気テープ、磁気ハードドライブ、フロッピードライブ等）、電荷型ストレージメディア（例えばＥＥＰＲＯＭ、ＲＡＭ等）、ソリッドステート・ストレージメディア（例えばフラッシュドライブ等）、及び／又は前記以外の電子的に読み取り可能なストレージメディアが一つ以上含まれてもよい。電子ストレージ１３８、電子ストレージ１４２及び／又は電子ストレージ１４６には、一又は複数の仮想ストレージリソース（例えば、クラウドストレージ、仮想プライベートネットワーク、及び／又はこれら以外の仮想ストレージリソース）が含まれてもよい。電子ストレージ１３８、電子ストレージ１４２及び／又は電子ストレージ１４６は、ソフトウェアアルゴリズム、一又は複数のプロセッサ（例えば、プロセッサ１４０、プロセッサ１４４、及び／又はプロセッサ１４８）によって決定される情報、パーソナルウェルネス装置１０２、ユーザアクセサリ１０４、外部リソース１０６、パーソナルコンピューティングプラットフォーム１０８、及び／又はパーソナルウェルネスプラットフォームサーバ１１０から受信する情報、及び／又はパーソナルウェルネスシステム１００が、本明細書で記載した機能を発揮することを可能とする他の情報を保存してもよい。
【００５８】
一又は複数の実施形態に従って、図2は、パーソナルウェルネスシステム１００の一又は複数の構成装置に含まれるプロセッサ２００の一例を示している。プロセッサ200は、パーソナルウェルネス装置１０２のプロセッサ１４０、パーソナルコンピューティングプラットフォーム１０８のプロセッサ１４４、及び／又はパーソナルウェルネスプラットフォームサーバ１１０のプロセッサ１４８と同一である、又は類似している。プロセッサ２００はパーソナルウェルネスシステム１００の情報処理能力を提供するよう構成される。プロセッサ２００は、デジタルプロセッサ、アナログプロセッサ、情報処理用のデジタル回路、情報処理用のアナログ回路、ステートマシン、及び／又は電子的に情報を処理する前記以外のメカニズムを一つ以上備える。プロセッサ１１０は図２において単一のエンティティとして示されているが、これは単に説明を目的としたものである。一部の実施形態において、プロセッサ２００は複数の処理装置を含む。これらの処理装置は物理的に同一の装置内に配置されてもよく、または共同して動作する複数の装置の処理機能をプロセッサ２００が代表してもよい。
【００５９】
図２に図示されるとおり、プロセッサ２００は、デバイスプラットフォーム通信モジュール２０２、エクササイズ追跡モジュール２０４、エクササイズ分析モジュール２０６、身体的属性モジュール２０８、インストラクションモジュール２１０、計画設計モジュール２１２、エクササイズスケジューリングモジュール２１４、栄養モジュール２１６、リハビリモジュール２１８、及び／又は他のコンピュータプログラムモジュールを一つ以上実行するよう構成されてもよい。プロセッサ２００は、ソフトウェア、ハードウェア、ファームウェア、何らかの方法で組み合わされたソフトウェア、ハードウェア、及び／又はファームウェア、及び／又はプロセッサ２００の処理能力を構成する他のメカニズムを用いて、モジュール２０２、２０４、２０６、２０８、２１０、２１２、２１４、２１６、２１８及び／又は他のモジュールを実行するよう構成されてもよい。
【００６０】
図２においてモジュール２０２、２０４、２０６、２０８、２１０、２１２、２１４、２１６、及び２１８は、同じく単一の処理装置内に配置されるものとして示されるが、プロセッサ２００が複数の処理装置を含む実施形態においては、モジュール２０２、２０４、２０６、２０８、２１０、２１２、２１４、２１６、及び／又は２１８のうちの一または複数が他のモジュールから離れて配置されてもよい。例えば、一又は複数のモジュール２０２、２０４、２０６、２０８、２１０、２１２、２１４、２１６、２１８、及び／又は他のモジュールは、パーソナルウェルネス装置１０２のプロセッサ１４０、パーソナルコンピューティングプラットフォーム１０８のプロセッサ１４４、及び／又はパーソナルウェルネスプラットフォームサーバ１１０のプロセッサ１４８によって実行されてもよい。以下の異なるモジュール２０２、２０４、２０６、２０８、２１０、２１２、２１４、２１６、及び２１８によって提供される機能の記述は説明のためのものであり、限定を意図したものではない。モジュール２０２、２０４、２０６、２０８、２１０、２１２、２１４、２１６、及び／又は２１８はいずれも記述されるよりも多くの、または少ない機能を提供してもよい。例えば、モジュール２０２、２０４、２０６、２０８、２１０、２１２、２１４、２１６、及び２１８のうちの一または複数を取り除き、その機能の一部またはすべてを、モジュール２０２、２０４、２０６、２０８、２１０、２１２、２１４、２１６、及び／又は２１８のうちの他のモジュールで提供してもよい。他の例として、以下でモジュール２０２、２０４、２０６、２０８、２１０、２１２、２１４、２１６、及び／又は２１８のうちの１つに帰せられる機能の一部またはすべてを実行する１つまたは複数の追加的なモジュールを実行するように、プロセッサ２００が構成されてもよい。
【００６１】
デバイスプラットフォーム通信モジュール２０２は、少なくとも一つのパーソナルウェルネス装置１０２と、限定はされないが前記パーソナルコンピューティングプラットフォーム１０８及び／又は前記パーソナルウェルネスプラットフォームサーバ１１０といった前記パーソナルウェルネスシステム１００の他の構成装置との間の情報の伝送を促進するよう構成されてもよい。様々な実施形態において、パーソナルウェルネス装置１０２とパーソナルウェルネスシステム１００の他の構成装置との間で伝送される情報は、追跡されたエクササイズ（以下で更に記載する。）、パーソナルウェルネス装置１０２を使用して行われる一又は複数のエクササイズに対する補助、エクササイズによる訓練、予定されたエクササイズに関連付けられたアラート、ダイエットプログラム、力出力信号及び／又は力出力信号から得られた情報、及び／又は前記パーソナルウェルネスシステム１００に関連付けられた他の情報に基づく一又は複数のエクササイズのパラメータを含んでもよい。一部の実施形態において、デバイスプラットフォーム通信モジュール２０２は、ユーザにより持ち運ばれる一又は複数の他のデバイスとの間での通信を促進するよう構成されてもよい。例えば、デバイスプラットフォーム通信モジュール２０２は、セッティングを調節するためにユーザ内に埋め込まれているペースメーカと通信してもよい。２０１２年６月１９日出願に出願された米国特許出願第１３／５２７，４３７号（発明の名称：「Ｍｅｒｃｈａｎｄｉｚｉｎｇ，  Ｓｏｃｉａｌｉｚｉｎｇ，  ａｎｄ／ｏｒ  Ｇａｍｉｎｇ  Ｖｉａ  ａ  Ｐｅｒｓｏｎａｌ  Ｗｅｌｌｎｅｓｓ  Ｄｅｖｉｃｅ  ａｎｄ／ｏｒ  ａ  Ｐｅｒｓｏｎａｌ  Ｗｅｌｌｎｅｓｓ  Ｐｌａｔｆｏｒｍ」）で記載された通り、ある実施形態に従って、パーソナルウェルネス装置１０２は、社交や商売を促してもよい。この米国特許出願の全内容が引用により本明細書に組み入れられる。
【００６２】
前記エクササイズ追跡モジュール２０４は、前記パーソナルウェルネス装置１０２を用いて行われたエクササイズを追跡するよう構成されてもよい。エクササイズを追跡するというのは、個人のエクササイズを監視、及び／又は記録することが含まれてもよい。個人のエクササイズには、エクササイズに関する伝統的な形式、及び／又は日常の活動が含まれてもよい。日常の活動には、掃除、ＴＶ鑑賞、芝刈り、及び／又は他の日常の活動が含まれてもよい。前記パーソナルウェルネス装置１０２と共に行われた個人のエクササイズに関連付けられる情報は、電子ストレージ１３８、電子ストレージ１４２、電子ストレージ１４６、及び／又はパーソナルウェルネスシステム１００によってアクセス可能な他のストレージによって記録されてもよい。
【００６３】
一部の実施形態によると、前記エクササイズ追跡モジュール２０４は、力覚センサ１１２により生成された力出力信号、地理的位置センサ１１４によって生成された位置出力信号、モーションセンサ１１６によって生成されたモーション出力信号、及び／又はユーザ及び／又は体の部分の動き及び／又は位置を光学的に決定するよう構成された装置といったアクセサリから受信した情報、及び／又は他の情報及び／又は信号に基づいて、エクササイズを追跡するよう構成されてもよい。非限定的な例として、前記エクササイズ追跡モジュール２０４は、前記力出力信号に基づいて、パーソナルウェルネス装置１０２に作用する圧縮力の大きさ、圧縮力が前記パーソナルウェルネス装置１０２に作用する期間、時間関数で表現される力の大きさのプロファイル、及び／又はパーソナルウェルネス装置１０２に作用する圧縮力の量を一つ以上監視及び記録してもよい。エキササイズ追跡モジュール２０４は、位置出力信号に基づいて、前記パーソナルウェルネス装置１０２のユーザが行ったエクササイズの間、経路、距離、及び／又は移動距離を監視及び記録してもよい。エクササイズ追跡モジュール２０４は、モーション出力信号に基づいて、パーソナルウェルネス装置１０２と連結している、及び／又は物理的に接続している（例えば、握られている、結び付けられている、若しくは貼り付けられている）ユーザの体の部分（例えば、ユーザの手）の動き及び／又は方向を監視、及び記録してもよい。
【００６４】
ある実施形態では、エクササイズ追跡モジュール２０４は、パーソナルウェルネス装置１０２の位置又は複数の構成装置及び又はプロセッサ２００に関連して記載されるモジュールから受信した情報及び／又は信号に基づいて、パーソナルウェルネス装置１０２を用いて行われるエクササイズを認識するよう構成されてもよい。
【００６５】
一部の実施形態では、エクササイズ追跡モジュール２０４は、パーソナルウェルネス装置１０２の位置又は複数の構成装置及び又はプロセッサ２００に関連して記載されるモジュールから受信した情報及び／又は信号に基づいて、パーソナルウェルネス装置１０２を用いて行われるエクササイズの種類を特定するよう構成されてもよい。エクササイズの種類の例として、柔軟性エクササイズ（例えば、ストレッチ、ヨガ、及び／又は他の柔軟性エクササイズ）、有酸素エクササイズ（例えば、自転車、水泳、ウォーキング、ロープスキッピング、ボート、ランニング、ハイキング、テニス、及び／又は他の有酸素エクササイズ）、及び／又は他の種類のエクササイズが一つ以上含まれてもよい。
【００６６】
エクササイズ分析モジュール２０６は、エクササイズ追跡モジュール２０４で追跡されたエクササイズに基づいて、一又は複数のエクササイズのパラメータを決定するよう構成されてもよい。様々な実施形態によると、このようなエクササイズのパラメータの例として、心肺の持久力、呼吸の持久力、スタミナ、強さ、柔軟性、力、スピード、運動神経、アジリティ、及び／又はバランスに関連付けられた情報、消費カロリー又は消費エネルギー、予め定められたエクササイズルーチンの達成レベル、特定のエクササイズ及び／又はエクササイズ一般の頻度、定量化されたエクササイズでの改善度、及び／又は他のエクササイズのパラメータが一つ以上含まれてもよい。一部の実施形態において、一又は複数のエクササイズのパラメータは、他のパーソナルウェルネス装置の一又は複数のユーザの追跡されたエクササイズとの比較に基づいていてもよい。例えば、共通の経路を走るのに掛かった時間が二以上のユーザ間で比較されてもよい。他の例として、特にエクササイズにおける繰り返し回数の改善が二以上のユーザ間で比較されてもよい。
【００６７】
エクササイズ以外に、エクササイズ分析モジュール２０６は、ウェルネスに関する他の分野、及び／又はユーザの条件を分析するよう構成されてもよい。このようなウェルネスに関する他の分野として、栄養、リラクゼーション、及び／又はウェルネスに関する他の分野が含まれる。ユーザの条件とは、心拍数、及び／又は体に関する他の測定値に基づいて決定されてもよい。前記エクササイズ分析モジュールは、エクササイズ、ユーザの条件、個々のウェルネスに関する分野、栄養、及び／又はウェルネスに関連付けられた他の情報を利用した統合的な分析を提供してもよい。
【００６８】
身体的属性モジュール２０８は、身体的属性に関する情報を受信するよう構成されてもよい。身体的属性情報の例として、身長、体重、年齢、ジェンダー、及び／又は他の肉体的な属性が一つ以上含まれていてもよい。ある実施形態においては、身体的属性情報は、パーソナルウェルネス装置１０２からユーザインタフェイス１３２を介して受信されてもよい。ある実施形態では、身体的属性モジュール２０８は、身体的属性情報を自動で受信するよう構成されてもよい。例えば、パーソナルウェルネス装置１０２は、身体的属性モジュール２０８に対して体重情報を自動的に提供するための秤として機能するアクセサリと一緒に用いられてもよい。パーソナルコンピューティングプラットフォーム１０８及び／又はパーソナルウェルネスプラットフォームサーバ１１０は、デバイスプラットフォーム通信モジュール２０２を介して、パーソナルウェルネス装置１０２から身体的属性情報を受信してもよい。
【００６９】
インストラクションモジュール２１０は、パーソナルウェルネス装置１０２を用いて行われる一又は複数のエクササイズの補助を提供するよう構成されてもよい。補助の例として、インストラクション、ガイダンス、アドバイス、コーチング、及び／又は他の補助が一つ以上含まれる。前記補助は、テクスト、イラスト、ビデオ、音、音声、及び／又はユーザインタフェイス１３２を介して提供されるメディアによって提供されてもよい。一部の実施形態では、インストラクションモジュール２１０は、所定のエクササイズが行われる前、間、及び／又は行われた後にユーザを補助するよう構成されてもよい。インストラクションモジュール２１０が提供する前記補助が、人間のトレーナ、栄養士、セラピスト、及び／又は、コーチとのライブのインタラクション、自動応答、及び／又はエクササイズの補助に関する他の情報源の一つ以上に基づいてもよい。
【００７０】
計画設計モジュール２１２は、エクササイズの計画を設計するのを促進するよう構成されてもよい。一部の実施形態では、エクササイズの計画は、個人のウェルネスに肯定的な結果となる計画を含んでいてもよい。前記計画は、エクササイズを行う時間の予定、計画の全体の時間、計画における特定のエクササイズ、パフォーマンスのマイルストーン、及び／又は個人のエクササイズに関連付けられた他の情報を含んでもよい。エクササイズの計画は、ユーザにより手動で計画され、計画設計モジュール２１２を介して自動で設計され、及び／又は手動及び自動を組み合わせて設計されてもよい。エクササイズの計画、又はその一部は、過去に追跡されたエクササイズ、過去に決定されたエクササイズのパラメータ、身体的属性、前記インストラクションモジュール２１０から提供されたフィードバック、栄養に関する情報、ユーザが決定した制限及び／又は目標、及び／又は前記パーソナルウェルネスシステム１００に関連付けられた情報の一つ以上に基づいて自動的に設計されてもよい。
【００７１】
エクササイズスケジューリングモジュール２１４は、ユーザに関連付けられた一又は複数の予定されたエクササイズを監視し、及び／又は前記一又は複数の予定されたエクササイズに関連付けられたアラートを提供するよう構成されてもよい。予定されたエクササイズを監視する事には、ユーザに関連付けられた、エクササイズの計画（例えば、前記計画設計モジュール２１２参照。）、及び／又はカレンダーに基づいて予定されたスケジュールを特定することが含まれてもよい。予定されたエクササイズに関連付けられたアラートを提供する事には、トーン（ｔｏｎｅ）、及び／又は他の可聴音を、パーソナルウェルネス装置１０２を介して鳴らす事、及び／又はＥ−ｍａｉｌ、テクストメッセージ、リマインダ、音声メッセージ、及び／又はパーソナルウェルネス装置１０２、パーソナルコンピューティングプラットフォーム１０８、及び／又はパーソナルウェルネスプラットフォームサーバ１１０を介してアクセス可能な他の通信手段によるメッセージを前記ユーザに送信する事が含まれてもよい。一部の実施形態において、エクササイズスケジューリングモジュール２１４は、ユーザに関連付けられたカレンダーにおける非エクササイズの要素に基づいてエクササイズの計画を調整するよう構成されてもよい。例えば、エクササイズが所定の時間に予定されているが、ユーザがその時間にすでに予定がある場合、エクササイズスケジューリングモジュール２１４は、すでにある予定と調整するために、前記エクササイズの時間をスケジュールし直してもよい。他の例として、エクササイズスケジューリングモジュール２１４は、カロリー摂取量とカロリー消費量で望ましいバランスをとるために、ダイエットプログラムに適合するよう、一又は複数の予定されたエクササイズを調節するよう構成されてもよい。
【００７２】
栄養モジュール２１６は、ユーザのダイエットを分析し、及び／又はダイエットプログラムを計画することを促進するよう構成されてもよい。ダイエットプログラムは、特定の選択された食事及び前記選択された食事を消費する予定が含まれてもよい。ダイエットプログラムは、目標の体重を達成する、及び／又は維持するよう設計されてもよい。ダイエットプログラムは、ユーザにより手動で計画され、栄養モジュール２１６を介して自動で計画され、及び／又は手動及び自動を組み合わせて計画されてもよい。ダイエットプログラム、又はその一部は、身体的属性、フィットネス、及び／又は目標体重、ダイエットのマイルストーン、及び／又はパーソナルウェルネスシステム１００に関連付けられた他の情報のうち一つ以上に基づいて自動的に計画されてもよい。
【００７３】
リハビリモジュールは２１８、筋電気刺激による処置を筋電気刺激インタフェイス１２６を介してユーザに提供するよう構成されてもよい。筋電気刺激による処置には、電気的なインパルスを用いた筋肉圧縮を引き出すことが含まれてもよい。前記インパルスは、筋肉の収縮を引き起こすユーザの中枢神経システムから流れる活動電位を模倣したものでもよい。前記インパルスは、筋電気刺激インタフェイス１２６から筋電気刺激インタフェイス１２６と動作可能に接続された電極へ流れてもよい。前記電極は、ユーザの皮膚に接着するよう構成されたパッドを含む。前記インパルスは、直接皮膚の上にある前記電極から、刺激されるべき筋肉の近傍に伝達されてもよい。
【００７４】
図３は、一又は複数の実施形態におけるパーソナルウェルネス装置を介したパーソナルウェルネスの管理を促進する方法３００を図示する。以下で説明する方法３００の工程は、説明のためのものに過ぎない。一部の実施形態において、方法３００は、説明されていない一又は複数の追加的な工程を備えて実現されてもよく、説明する工程の一又は複数を省略して実現されてもよい。また、図３に示されて以下で説明される方法３００の工程の順序は限定的なものではない。
【００７５】
一部の実施形態において、方法３００は、一又は複数の処理装置（例えば、デジタルプロセッサ、アナログプロセッサ、情報処理用のデジタル回路、情報処理用のアナログ回路、ステートマシン、及び／又は電子的に情報を処理する前記以外のメカニズム）において実行され得る。この一又は複数の処理装置には、電子ストレージメディアに電子的に格納された命令に応答して、方法３００の工程の一部又は全部を実行する一又は複数の装置を備えてもよい。この一又は複数の処理装置には、方法300の工程の一又は複数を実行するために設計されたハードウェア、ファームウェア、及び／又はソフトウェアで構成された一又は複数の装置が含まれる。
【００７６】
工程３０２において、少なくとも一つのパーソナルウェルネス装置１０２と、限定はされないが前記パーソナルコンピューティングプラットフォーム１０８及び／又は前記パーソナルウェルネスプラットフォームサーバ１１０といった前記パーソナルウェルネスシステム１００の他の構成装置との間で情報が伝送される。工程３０２は、一又は複数の実施形態に従い、デバイスプラットフォーム通信モジュール２０２と同一又は類似のデバイスプラットフォーム通信モジュールによって行われる。
【００７７】
工程３０４において、パーソナルウェルネス装置１０２を用いて行われたエクササイズが追跡されてもよい。工程３０４は、一又は複数の実施形態に従い、エクササイズ追跡モジュール２０４と同一又は類似のエクササイズ追跡モジュールによって行われてもよい。
【００７８】
工程３０６において、一又は複数のエクササイズのパラメータが追跡されたエクササイズに基づいて決定されてもよい。工程３０６は、一又は複数の実施形態に従い、エクササイズ分析モジュール２０６と同一又は類似のエクササイズ分析モジュールによって行われてもよい。
【００７９】
工程３０８において、身体的属性情報が受信されてもよい。工程３０８は、一又は複数の実施形態に従い、身体的属性モジュール２０８と同一又は類似のデバイス身体的属性モジュールによって行われる。
【００８０】
工程３１０において、補助が、パーソナルウェルネス装置１０２を用いて行われる一又は複数のエクササイズのために提供されてもよい。工程３１０は、一又は複数の実施形態に従い、インストラクションモジュール２１０と同一又は類似のインストラクションモジュールによって行われる。
【００８１】
工程３１２において、エクササイズの計画が設計されてもよい。工程３１２は、一又は複数の実施形態に従い、計画設計モジュール２１２と同一又は類似の計画設計モジュールによって行われる。
【００８２】
工程３１４において、ユーザに関連付けられた一又は複数の予定されたエクササイズと関連付けられたアラートが提供されてもよい。工程３１４は、一又は複数の実施形態に従い、エクササイズスケジューリングモジュール２１４と同一又は類似のエクササイズスケジューリングモジュールによって行われてもよい。
【００８３】
工程３１６において、ダイエットプログラムが計画されてもよい。工程３１６は、一又は複数の実施形態に従い、栄養モジュール２１６と同一又は類似の栄養モジュールによって行われる。
【００８４】
工程３１８において、筋電気刺激による処置を筋電気刺激インタフェイス１２６を介してユーザに提供するよう構成されてもよい。工程３１８は、一又は複数の実施形態に従い、リハビリモジュール２１８と同一又は類似のリハビリモジュールによって行われる。
【００８５】
現時点で最も実用的であり好ましいと考えられる態様に基づいて、本発明を例示のために詳細に説明したが、このような詳細な説明は例示のみを目的としたものである。本発明は開示された実施形態に限定されるものではなく、むしろ添付された特許請求の範囲の趣旨及び範囲に入る変形や均等な配置も本発明に含められることが意図されている。例えば、本発明においては、あらゆる実施形態の一又は複数の特徴を他の実施形態の一又は複数の特徴と可能な限り結合することができる。
【図１】
2015531099.tif 000003
【図２】
2015531099.tif 000004
【図３】
2015531099.tif 000005
【国際調査報告】
2015531099.tif 000006